(57)【要約】【課題】非鉄製の水道メーターであっても漏水音検知器を簡単に取り付けられるようにする。【解決手段】漏水音検知器取付補助装置１００は、水道メーターを把持するための把持機構１４０と、把持機構１４０によって水道メーターに固定される台座部１１０と、を有し、台座部１１０は、水道メーターの動作音を検知する漏水音検知器を磁力によって吸着させる。【選択図】図１
2017187401.tif 000002
【特許請求の範囲】
【請求項１】
水道メーターを把持するための把持機構と、
前記把持機構によって前記水道メーターに固定される台座部と、を有し、
前記台座部は、前記水道メーターの動作音を検知する漏水音検知器を磁力によって吸着させることを特徴とする漏水音検知器取付補助装置。
【請求項２】
前記台座部は、
前記漏水音検知器を吸着させる吸着部を有し、
前記吸着部は前記水道メーターを把持させるための台座側マウント部を有し、
前記吸着部から延長し前記台座側マウント部に対して進退移動するスライドクランプ部を支持する支持部を有し、
前記スライドクランプ部は前記水道メーターを把持させるためのクランプ側マウント部を有し、
前記支持部から延長し前記スライドクランプ部を進退移動させるためのネジ機構を有する取付部を有し、
前記吸着部、前記支持部、前記取付部はＵ字状に連なるように一体的に形成されていることを特徴とする請求項１に記載の漏水音検知器取付補助装置。
【請求項３】
前記把持機構は、前記台座側マウント部、前記クランプ側マウント部、前記ネジ機構によって形成され、
前記ネジ機構によって前記クランプ側マウント部を前記台座側マウント部に進退移動させることによって、前記台座部を前記水道メーターに取り付けることを特徴とする請求項２に記載の漏水音検知器取付補助装置。
【請求項４】
前記ネジ機構は、
前記取付部に形成された雌ネジ部と、
前記スライドクランプ部に回転自在に取り付けられ、前記雌ネジ部に螺合して前記スライドクランプ部を前記吸着部に対して進退移動させる雄ネジと、
を有することを特徴とする請求項３に記載の漏水音検知器取付補助装置。
【請求項５】
前記吸着部は、前記漏水音検知器を吸着させやすくするための平坦部を有することを特徴とする請求項２から４のいずれかに記載の漏水音検知器取付補助装置。
【発明の詳細な説明】
【技術分野】
【０００１】
本発明は、漏水音検知器を水道メーターに取り付けるための、漏水音検知器取付補助装置に関する。
【背景技術】
【０００２】
水道管は、地震などの自然災害による破損または長年の使用による老朽化によって漏水することがある。漏水音から漏水箇所を推定する手法としては次の２つがある。
【０００３】
１つ目は、下記特許文献１に示されているような、作業者が音聴棒を使って漏水音を聴音し漏水箇所を推定する手法である。２つ目は、下記特許文献２に示されているような、漏水箇所を挟む２点に漏水音検知センサを取り付け両点間に漏水音が到達する時間差から漏水箇所を推定する手法である。
【０００４】
水道メーターの検針員は、検針時に宅内側の漏水の有無を確認している。この確認は、上記の１つ目の手法ではなく、上記の２つ目の手法と類似の手法を用いて行っている。具体的には、水道メーターの検針員は、検針時に水道メーターに漏水音検知センサを押し当て、漏水音検知センサが出力する信号により、宅内側の水道管の漏水の有無を確認している。通常、宅内側の水道管に漏水が有ると、宅内の全ての蛇口を閉めていたとしても、水道メーターから僅かな動作音が生じる。漏水音検知センサはこの動作音に応じた信号を出力する。
【先行技術文献】
【特許文献】
【０００５】
【特許文献１】特開２００５−３３１３７４号公報
【特許文献２】特開２０１３−２１０３４７号公報
【発明の概要】
【発明が解決しようとする課題】
【０００６】
しかし、通常、検針員は水道メーターの検針を昼間に行うことから、昼間の喧騒内で漏水音検知センサが出力する信号から水道メーターの僅かな動作音に応じた信号の有無を見極めることは難しい。漏水音検知センサは、道路を走る車の騒音など、水道メーターの動作音以外の音を検知している可能性があるからである。したがって、検針員が宅内側の水道管の漏水を正確に認識することは難しい。
【０００７】
この問題を解決するためには、水道メーターに漏水音検知器（データーロガー）を一定期間取り付けておき、街が寝静まっている深夜または早朝の時間帯に、水道メーターの動作音の有無を検知することが考えられる。
【０００８】
一般的に、漏水音検知器はその底部に磁石が取り付けられ、水道メーターに磁力を用いて取り付ける。ところが、最近では、宅内側の配管は樹脂管が用いられつつあるため、水道メーターは鉄製から砲金などの非鉄製に変わりつつある。このため、従来の磁力吸着型の漏水音検知器を水道メーターに取り付けることが困難になりつつある。
【０００９】
そこで、本発明では、非鉄製の水道メーターであっても漏水音検知器を容易に取り付けることができる、漏水音検知器取付補助装置の提供を目的とする。
【課題を解決するための手段】
【００１０】
上記目的を達成するための本発明にかかる漏水音検知器取付補助装置は、水道メーターを把持するための把持機構と、前記把持機構によって前記水道メーターに固定される台座部と、を有し、前記台座部は、前記水道メーターの動作音を検知する漏水音検知器を磁力によって吸着させることを特徴とする。
【発明の効果】
【００１１】
本発明にかかる漏水音検知器取付補助装置によれば、把持機構によって台座部を水道メーターに取り付けることができ、また、台座部には漏水音検知器を磁力によって吸着させることができる。このため、水道メーターがどのような材質で製造されていたとしても、水道メーターに漏水音検知器を取り付けることができる。
【図面の簡単な説明】
【００１２】
【図１】本発明にかかる漏水音検知器取付補助装置の外観図であり、図１Ａは正面図を、図１Ｂは側面図を示す。
【図２】本発明にかかる漏水音検知器取付補助装置の使用状態を示す図である。
【図３】本発明にかかる漏水音検知器取付補助装置を用いた漏水検知の説明図である。
【発明を実施するための形態】
【００１３】
次に、本発明にかかる漏水音検知器取付補助装置の一実施形態を図面に基づいて詳細に説明する。
【００１４】
図１は、本発明にかかる漏水音検知器取付補助装置の外観図である。図１Ａは、漏水音検知器取付補助装置の正面図を示し、図１Ｂは、漏水音検知器取付補助装置の側面図を示す。
【００１５】
図１に示すように、漏水音検知器取付補助装置１００は、吸着部１０２、支持部１０４、取付部１０６を有する。吸着部１０２、支持部１０４、取付部１０６はＵ字状に連なるように一体的に形成されている。吸着部１０２、支持部１０４、取付部１０６は台座部１１０を形成する。台座部１１０は、質量の大きな金属を用いて製造される。質量が大きければ、水道メーターの音が伝達しやすくなり、逆に、外部の音の影響を受け難くなるからである。
【００１６】
吸着部１０２は、図示されていない漏水音検知器を吸着させやすくするための平坦部１０８が形成されている。漏水音検知器は水道メーターの僅かな動作音を検知することができる、漏水検知センサを内蔵した装置である。漏水音検知器は漏水音検知器の底部に取り付けられている磁石の磁力を用いて吸着部１０２の平坦部１０８に吸着させる。吸着部１０２は、水道メーターを把持させるための円弧状に形成された台座側マウント部１１２を有している。
【００１７】
支持部１０４は、吸着部１０２から延長し、台座側マウント部１１２に対して進退移動できるスライドクランプ部１２２を移動自在に支持する。スライドクランプ部１２２は、水道メーターを把持させるためのクランプ側マウント部１２４を有する。
【００１８】
取付部１０６は、支持部１０４から延長し、スライドクランプ部１２２を進退移動させるための雌ネジ部１２６を有する。雌ネジ部１２６には、その一端がスライドクランプ部１２２に回転自在に取り付けられ、雌ネジ部１２６に螺合してスライドクランプ部１２２を台座側マウント部１１２に対して進退移動させる雄ネジ部１２８が取り付けられる。雄ネジ部１２８の他端にはクランプハンドル１３２が固定して取り付けられる。
【００１９】
なお、取付部１０６の雌ネジ部１２６と雌ネジ部１２６に螺合する雄ネジ部１２８とによってネジ機構１３０が形成される。また、台座側マウント部１１２と、クランプ側マウント部１２４と、ネジ機構１３０とによって把持機構１４０が形成される。
【００２０】
図２は、本発明にかかる漏水音検知器取付補助装置の使用状態を示す図である。
【００２１】
本実施形態にかかる漏水音検知器取付補助装置１００では、図１に示した、台座側マウント部１１２とクランプ側マウント部１２４との間に、図２に示す、水道メーター２００の配管部２１０を挟み込むようにして位置させる。次に、クランプハンドル１３２を回転させることによって、台座部１１０を水道メーター２００に堅固に取り付けることができる。この状態で、漏水音検知器３００の底部に取り付けられている磁石３１０を、図１に示した、台座部１１０の吸着部１０２の平坦部１０８に吸着させる。これにより、漏水音検知器３００は漏水音検知器取付補助装置１００を介して水道メーター２００と一体化するように取り付けられる。
【００２２】
この状態で、水道メーター２００が発生する水流音または水流により回転する水車や歯車の回転音が台座部１１０を介して漏水音検知器３００に伝達される。漏水音検知器３００は伝達された音を検知することによって、水道メーター２００よりも宅内側の水道管２２０の漏水の有無を、時刻に依らず、常時検知できるようになる。宅内側の漏水の検知は夜間の使用水の少ない時間帯に実施することが望ましいが、本実施形態にかかる漏水音検知器取付補助装置１００によれば、この時間帯の漏水検知を容易に実施できることになる。
【００２３】
図２に示されているように、本実施形態にかかる漏水音検知器取付補助装置１００は、漏水音検知器３００を、水道メーター２００の上側で垂直方向に設置するのではなく、水道メーター２００の配管部２１０及び宅内側の水道管２２０に沿うように水平方向に設置する。
【００２４】
このため、漏水音検知器３００を取り付けた状態でも、水道メーター２００の蓋を開閉できるので、取扱い易く、検針時に漏水音検知器３００が邪魔になることはない。本実施形態にかかる漏水音検知器取付補助装置１００は、台座部１１０を、質量の大きな金属を用いて製造している。質量が大きければ、水道メーター２００から発生される機械音が漏水音検知器３００に的確に伝播するからである。
【００２５】
以上のように、本実施形態にかかる漏水音検知器取付補助装置１００は、水道メーター２００が微少な流量でも内部の水車や歯車が作動し固有の機械音を発生することに着目して構成している。漏水音検知器取付補助装置１００は、夜間の使用水の少ない時間帯の流量すなわち漏水で発生する恒常的な水道メーター２００の機械音を収集できる漏水音検知器３００を水道メーター２００に確実に取り付けることができるアダプターとして用いることができる。
【００２６】
図３は、本発明にかかる漏水音検知器取付補助装置を用いた漏水検知の説明図である。
【００２７】
図２に示したように、宅内に設けられている水道メーター２００に漏水音検知器３００を取り付けて宅内の漏水を検知できれば、無収水の削減に貢献できる。さらに、図３に示されているように、仮に、隣り合う家屋４００Ａ、４００Ｂ同士が、本実施形態にかかる漏水音検知器取付補助装置１００Ａ、１００Ｂにより漏水音検知器３００Ａ、３００Ｂを取り付けていたとする。この場合には、宅内側に配設されている宅内側の水道管２２０Ａに漏水が無ければ、本管２３０の漏水点２４０を検知することも可能になる。
【００２８】
家屋４００Ａには宅内側の水道管２２０Ａを介して水道メーター２００Ａが接続され、水道メーター２００Ａには漏水音検知器取付補助装置１００Ａを介して漏水音検知器３００Ａが取り付けられている。水道メーター２００Ａは公共側の水道管２２５Ａを介して本管２３０に接続されている。
【００２９】
同様に、家屋４００Ｂには宅内側の水道管２２０Ｂを介して水道メーター２００Ｂが接続され、水道メーター２００Ｂには漏水音検知器取付補助装置１００Ｂを介して漏水音検知器３００Ｂが取り付けられている。水道メーター２００Ｂは公共側の水道管２２５Ｂを介して本管２３０に接続されている。
【００３０】
通常は、漏水音検知器３００Ａは、家屋４００Ａの宅内側の水道管２２０Ａの漏水を検知する目的で設置され、また、漏水音検知器３００Ｂは、家屋４００Ｂの宅内側の水道管２２０Ｂの漏水を検知する目的で設置される。
【００３１】
漏水音検知器３００Ａ、３００Ｂは、一定の時間間隔で漏水音の検知を実施し、その結果を蓄積し、外部に送信する機能を持つ。また、漏水音検知器３００Ａ、３００Ｂは、ＧＰＳ機能を有し、漏水音の検知結果をＧＰＳ情報と共に送信できる。したがって、漏水音検知器３００Ａ、３００Ｂは、宅内側の水道管２２０Ａ、２２０Ｂの漏水のみではなく、本管２３０の漏水も検知できる。
【００３２】
たとえば、宅内側の水道管２２０Ａに漏水が有る場合には、漏水音検知器３００Ａのみが水道メーター２００Ａの作動音を検知する。漏水音検知器３００Ｂは水道メーター２００Ｂの作動音を検知しない。ところが、本管２３０に漏水が有る場合には、漏水音検知器３００Ａと漏水音検知器３００Ｂの両方が漏水音を検知する。このため、どの漏水音検知器が漏水音を検知しているかによって、宅内側で漏水しているのか、本管側で漏水しているのかが判る。
【００３３】
漏水音の検知結果は、その漏水音の検知結果を収集する情報収集装置を載置した自動車を走行させるだけで容易に取得できる。取得した漏水音の検知結果は、専用のソフトを用いて解析することで、どの漏水音検知器が漏水を検知しているかを知ることができる。
【００３４】
漏水音検知器３００Ａ、３００Ｂによって漏水点２４０を検知するには、相関検査による診断を用いる。本管２３０の漏水点２４０で漏水が生じているとすると、漏水点２４０からの漏水音は、本管２３０内の水を介し公共側の水道管２２５Ａを通じ、漏水音検知器３００Ａに到達する。また、漏水点２４０からの漏水音は、本管２３０内の水を介し公共側の水道管２２５Ｂを通じ、漏水音検知器３００Ｂに到達する。
【００３５】
漏水音検知器３００Ａから漏水点２４０までの距離２３４と漏水音検知器３００Ｂから漏水点２４０までの距離２３８は、図３に示すように異なる。このため、漏水点２４０から漏水音検知器３００Ａ、３００Ｂにそれぞれ到達する漏水音の時間が異なる。この時間差を解析することで、漏水点２４０の位置を特定することができる。
【００３６】
本実施形態にかかる漏水音検知器取付補助装置を用いて、より多くの水道メーター２００に漏水音検知器３００を取り付けられるようになると、上記のように、宅内の漏水が容易に検出できるばかりでなく、相関検査による診断を用いることによって、本管２３０の漏水点２４０も容易に検知できるようになる。
【符号の説明】
【００３７】
１００  漏水音検知器取付補助装置、
１０２  吸着部、
１０４  支持部、
１０６  取付部、
１０８  平坦部、
１１０  台座部、
１１２  台座側マウント部、
１２２  スライドクランプ部、
１２４  クランプ側マウント部、
１２６  雌ネジ部、
１２８  雄ネジ部、
１３０  ネジ機構、
１３２  クランプハンドル、
１４０  把持機構、
２００、２００Ａ、２００Ｂ  水道メーター、
２１０  配管部、
２２０、２２０Ａ、２２０Ｂ  宅内側の水道管、
２２５、２２５Ａ、２２５Ｂ  公共側の水道管、
２３０  本管、
２４０  漏水点、
３００、３００Ａ、３００Ｂ  漏水音検知器、
２３４、２３８  漏水点までの距離、
３１０  磁石、
４００Ａ、４００Ｂ  家屋。
【図１】
2017187401.tif 000003
【図２】
2017187401.tif 000004
【図３】
2017187401.tif 000005